(57)【要約】      （修正有）【課題】新芽の短い茶葉等を刈るのに適した茶葉摘採機の提供。【解決手段】茶樹畝６を跨いで茶葉を摘採する刈刃体と、摘採された茶葉を吹き飛ばす送風手段４とを備えた茶葉摘採機Ｍであって、送風手段４は、送風機４１と、送風を案内するダクト４２とを有し、ダクト４２は、中途より複数に分岐し、その先端は大気に開放した複数の分岐部４３であり、分岐部４３の先端は、刈刃体の上方に向かうと共に、茶葉摘採機Ｍの進行方向に対して、刈刃体の刃先より前に位置し、分岐部４３の先端は、背面視、略弧状に配列され、分岐部４３の先端にガイド体が装着され、ガイド体は分岐部４３に挿入できる挿入穴を有した挿入壁と、この挿入壁に対して略直交する方向に設けられると共に、刈刃体の刃先の先端を超える位置まで張り出して、分岐部４３の先端から送風される風の流れを刈刃体に向かうように案内する張出部とを備えている。【選択図】図１
2011125300.tif 000002
【特許請求の範囲】
【請求項１】
茶樹畝を跨いで茶葉を摘採する刈刃体と、この刈刃体により摘採された前掲茶葉を吹き飛ばす送風手段とを備えた茶葉摘採機であって、
前記送風手段は、送風機と、この送風機からの送風を案内するダクトとを有し、
前記ダクトは、中途より複数に分岐すると共に、分岐した先端は大気に開放した複数の分岐部であり、
前記複数の分岐部の先端は、前記刈刃体の上方に向かうと共に、前記茶葉摘採機の進行方向に対して、前記刈刃体の刃先より前に位置し、
前記複数の分岐部の先端は、背面視、略弧状に配列され、
前記複数の分岐部の先端にガイド体が装着され、
前記ガイド体は、前記複数の分岐部に挿入できる挿入穴を有した挿入壁と、この挿入壁に対して略直交する方向に設けられると共に、前記刈刃体の刃先の先端を超える位置まで張り出して、前記複数の分岐部の先端から送風される風の流れを前記刈刃体に向かうように案内するす張出部とを備えている
ことを特徴とする茶葉摘採機。
【請求項２】
張出部の端部の内、前記張出部に案内される送風流れの先端の側の端部の高さ位置を調整する手段を備えている
ことを特徴とする請求項１記載の茶葉摘採機。
【請求項３】
張出部は、透明部材で形成され、前記張出部の端部の内、前記張出部に案内される送風流れの先端の側の端部の高さ位置を調整する手段を備えている
ことを特徴とする請求項１記載の茶葉摘採機。
【請求項４】
茶葉摘採機は、乗用茶葉摘採機、一人用茶葉摘採機、二人用茶葉摘採機、軌道式茶葉摘採機の内の何れか一つである
ことを特徴とする請求項１〜３の何れか一記載の茶葉摘採機。
【請求項５】
茶樹畝を跨いで茶葉を摘採する刈刃体と、この刈刃体により摘採された前掲茶葉を吹き飛ばす送風手段とを備えた茶葉摘採機であって、
前記送風手段は、送風機と、この送風機からの送風を案内するダクトとを有し、
前記ダクトは、中途より複数に分岐すると共に、分岐した先端は大気に開放した複数の分岐部であり、
前記複数の分岐部の先端は、前記刈刃体の上方に向かうと共に、前記茶葉摘採機の進行方向に対して、前記刈刃体の刃先より前に位置し、
前記複数の分岐部の先端は、背面視、略弧状に配列され、
前記複数の分岐部の先端にガイド体が装着され、
前記ガイド体は、前記複数の分岐部に挿入できる挿入穴を有した挿入壁と、この挿入壁に対して略直交する方向に設けられると共に、前記刈刃体の刃先の先端を超える位置まで張り出して、前記複数の分岐部の先端から送風される風の流れを前記刈刃体に向かうように案内するす張出部とを備え、
前記複数の分岐部の先端からの送風は、前記ガイド体の下方からの風を取り入れ、前記ガイド体の下方に位置する茶樹の小さい葉の立ち上がりを保ちつつ、立ち上がった前記小さい葉を前記刈刃体により刈り取る
ことを特徴とする茶葉の刈り取り方法。
【発明の詳細な説明】
【技術分野】
【０００１】
本発明は、茶葉摘採機及び茶葉の刈り取り方法に係り、特に、刈りならし、新芽の短い茶葉等を刈るのに適した茶葉摘採機及び茶葉の刈り取り方法に関する。
【背景技術】
【０００２】
従来、例えば、一番茶の前、二番茶の前、秋番茶の前、秋番茶の後等において、次の収穫時に備え、古い茶葉が入らないように刈り整える、所謂「刈りならし」と称される作業がある。
この「刈りならし作業」にあたっては、摘採装置で切断された切断枝葉は送風機からの風により収納部等へ搬送されるようになっている（例えば、特許文献１参照）。
【先行技術文献】
【特許文献】
【０００３】
【特許文献１】特許第３８４１７０６号公報
【発明の概要】
【発明が解決しようとする課題】
【０００４】
上記送風機からの風は、摘採装置で切断される部位に向かっているため、大きい葉は、立ち上がったままであるが、小さい葉は送風機からの風に負けて寝てしまい切断できず残存し、次の収穫時に古い茶葉が混入する原因になるという問題点があった。
【０００５】
本発明は、上記の問題点を除去するようにした茶葉摘採機及び茶葉の刈り取り方法を提供することを目的とする。
【課題を解決するための手段】
【０００６】
請求項１記載の茶葉摘採機は、茶樹畝を跨いで茶葉を摘採する刈刃体と、この刈刃体により摘採された前掲茶葉を吹き飛ばす送風手段とを備えた茶葉摘採機であって、前記送風手段は、送風機と、この送風機からの送風を案内するダクトとを有し、前記ダクトは、中途より複数に分岐すると共に、分岐した先端は大気に開放した複数の分岐部であり、前記複数の分岐部の先端は、前記刈刃体の上方に向かうと共に、前記茶葉摘採機の進行方向に対して、前記刈刃体の刃先より前に位置し、前記複数の分岐部の先端は、背面視、略弧状に配列され、前記複数の分岐部の先端にガイド体が装着され、前記ガイド体は、前記複数の分岐部に挿入できる挿入穴を有した挿入壁と、この挿入壁に対して略直交する方向に設けられると共に、前記刈刃体の刃先の先端を超える位置まで張り出して、前記複数の分岐部の先端から送風される風の流れを前記刈刃体に向かうように案内するす張出部とを備えているものである。
【０００７】
また、請求項２記載の茶葉摘採機は、請求項１記載の茶葉摘採機において、張出部の端部の内、前記張出部に案内される送風流れの先端の側の端部の高さ位置を調整する手段を備えているものである。
【０００８】
また、請求項３記載の茶葉摘採機は、請求項１記載の茶葉摘採機において、張出部は、透明部材で形成され、前記張出部の端部の内、前記張出部に案内される送風流れの先端の側の端部の高さ位置を調整する手段を備えているものである。
【０００９】
また、請求項４記載の茶葉摘採機は、請求項１〜３の何れか一記載の茶葉摘採機において、茶葉摘採機は、乗用茶葉摘採機、一人用茶葉摘採機、二人用茶葉摘採機、軌道式茶葉摘採機の内の何れか一つである。
【００１０】
また、請求項５記載の茶葉の刈り取り方法は、茶樹畝を跨いで茶葉を摘採する刈刃体と、この刈刃体により摘採された前掲茶葉を吹き飛ばす送風手段とを備えた茶葉摘採機であって、前記送風手段は、送風機と、この送風機からの送風を案内するダクトとを有し、前記ダクトは、中途より複数に分岐すると共に、分岐した先端は大気に開放した複数の分岐部であり、前記複数の分岐部の先端は、前記刈刃体の上方に向かうと共に、前記茶葉摘採機の進行方向に対して、前記刈刃体の刃先より前に位置し、前記複数の分岐部の先端は、背面視、略弧状に配列され、前記複数の分岐部の先端にガイド体が装着され、前記ガイド体は、前記複数の分岐部に挿入できる挿入穴を有した挿入壁と、この挿入壁に対して略直交する方向に設けられると共に、前記刈刃体の刃先の先端を超える位置まで張り出して、前記複数の分岐部の先端から送風される風の流れを前記刈刃体に向かうように案内するす張出部とを備え、前記複数の分岐部の先端からの送風は、前記ガイド体の下方からの風を取り入れ、前記ガイド体の下方に位置する茶樹の小さい葉の立ち上がりを保ちつつ、立ち上がった前記小さい葉を前記刈刃体により刈り取るものである。
【発明の効果】
【００１１】
請求項１記載の茶葉摘採機によれば、複数の分岐部の先端にガイド体が装着されているため、複数の分岐部の先端からの送風に伴い、複数の分岐部の背後からの吸引を挿入壁により阻害させ、ガイド体の下方からの風を取り入れることにより、ガイド体の下方に位置する茶樹の小さい葉の立ち上がりを保ちつつ、立ち上がった前記小さい葉を刈刃体により刈り取ることができる。
その結果、例えば、残存する茶葉の切り残しを防いで、「刈りならし」の効果、つまり、次の（例えば、一番茶の前、二番茶の前、秋番茶の前、秋番茶の後）収穫時に、古い茶葉が入らないようにすることができ、また、短い（例えば、約６ｃｍ程度）新芽を摘む場合にも有効なものとなる。
【００１２】
また、請求項２記載の茶葉摘採機によれば、前述の請求項１記載の発明の効果に加え、張出部の端部の内、前記張出部に案内される送風流れの先端の側の端部の高さ位置を調整する手段を備えているため、送風流れの速度を調整して、「ガイド体の下方に位置する茶樹の小さい葉の状態」に対応することができる。
【００１３】
また、請求項３記載の茶葉摘採機によれば、前述の請求項１記載の発明の効果に加え、張出部の端部の内、前記張出部に案内される送風流れの先端の側の端部の高さ位置を調整する手段を備えているため、張出部の端部の内、前記張出部に案内される送風流れの先端の側の端部の高さ位置を調整する手段を備えているため、送風流れの速度を調整して、「ガイド体の下方に位置する茶樹の小さい葉の状態」に対応することができ、
その際、ガイド体の下方に位置する茶樹の小さい葉の状態を透明部材で形成された張出部を介して確認しながら調整を図ることができる。
【００１４】
また、請求項５記載の茶葉の刈り取り方法によれば、複数の分岐部の先端にガイド体が装着されているため、複数の分岐部の先端からの送風に伴い、複数の分岐部の背後からの吸引を挿入壁により阻害させ、ガイド体の下方からの風を取り入れることにより、ガイド体の下方に位置する茶樹の小さい葉の立ち上がりを保ちつつ、立ち上がった前記小さい葉を刈刃体により刈り取ることができる。
その結果、例えば、残存する茶葉の切り残しを防いで、「刈りならし」の効果、つまり、次の（例えば、一番茶の前、二番茶の前、秋番茶の前、秋番茶の後）収穫時に、古い茶葉が入らないようにすることができ、また、短い（例えば、約６ｃｍ程度）新芽を摘む場合にも有効なものとなる。
【図面の簡単な説明】
【００１５】
【図１】図１は、本発明の一実施例の茶刈機の概略的正面図である。
【図２】図２は、図１の茶刈機に取り付けられる送風ガイドの概略的斜視図である。
【図３】図３は、図２の一対の送風ガイドの内の一方の送風ガイドの概略的平面図である。
【図４】図４は、図３の概略的正面図である。
【図５】図５は、図３の５−５線による概略的断面図である。
【図６】図６は、図１の送風分岐部へ図２の送風ガイドを取り付ける前の状態の概略的斜視図である。
【図７】図７は、図１の送風分岐部へ図６の送風ガイドを取り付けた状態の概略的断面図である。
【図８】図８は、図７の使用状態の概略的断面図である。
【図９】図９は、図８と異なる他の使用状態の概略的断面図である。
【図１０】図１０は、図２の送風ガイドと異なる他の実施例の送風ガイドの概略的斜視図である。
【図１１】図１１は、図１０の送風ガイドの一部を分離した状態の概略的斜視図である。
【発明を実施するための形態】
【００１６】
本発明の一実施例の茶葉摘採機及び茶葉の刈り取り方法を図面を参照して説明する。
図１に示すＭは茶葉摘採機で、茶葉摘採機Ｍは、例えば、乗用茶葉摘採機で、略門型形状のフレーム１、このフレーム１の両脚部に設けられた走行装置２、２、フレーム１の上方に設けられ、作業者の運転席３、送風手段４、エンジン５とを備え、茶樹畝６をまたぎながら走行し、茶葉を刈るものである。
【００１７】
また、図７に示す７は、茶樹畝６を跨いで茶葉を摘採する刈刃体で、刈刃体７は、上刃と下刃とを相対的にスライドさせて茶葉を刈るようにしている。
この刈刃体７により刈られた茶葉は、送風手段４により吹き飛ばされるようになっている。
送風手段４は、図１に示すように、送風機４１と、この送風機４１からの送風を案内するダクト４２とを有し、ダクト４２は、中途より複数に分岐すると共に、分岐した先端は大気に開放した複数の分岐部４３となっている。
また、複数の分岐部４３の先端は、刈刃体７の上方に向かうと共に、茶葉摘採機Ｍの進行方向（図８及び図９参照）に対して、刈刃体７の刃先７ａより前に位置している。
また、複数の分岐部４３の先端は、背面視、略弧状に配列されている（なお、図１の背面側は、図示していないが、図１及び図８を参照することにより、複数の分岐部４３の先端が、背面視、略弧状に配列されていることが理解できる。）。
【００１８】
また、図２乃至図９に示す８は、複数の分岐部４３の先端に装着されるガイド体である。ガイド体８は、取り付けやすいように、２分割され、複数の分岐部４３に挿入できる挿入穴８１ａを有した挿入壁８１と、この挿入壁８１に対して略直交する方向に設けられると共に、刈刃体７の刃先７ａの先端を超える位置まで張り出して、複数の分岐部４３の先端から送風される風の流れを刈刃体７に向かうように案内するす張出部８２とを備えている。
なお、張出部８２は、透明部材で形成されていることが望ましく、例えば、アクリル樹脂で形成されている。
また、８３は、複数の分岐部４３に係止させるための部材で、部材８３に取り付けられた固定部材９（例えば、インシロック、バンド等）を介してガイド体８を分岐部４３に固定させるようにしている（図６及び図７参照）。
【００１９】
従って、上述した茶葉摘採機Ｍによれば、複数の分岐部４３の先端にガイド体８が装着されているため、複数の分岐部４３の先端からの送風に伴い、複数の分岐部４３の背後からの吸引を挿入壁８１により阻害させ、ガイド体８の下方からの風（図８の矢印Ａ）を取り入れることにより、ガイド体の下方に位置する茶樹の小さい葉の立ち上がりを保ちつつ、立ち上がった前記小さい葉を刈刃体７により刈り取ることができる。
その結果、例えば、残存する茶葉の切り残しを防いで、「刈りならし」の効果、つまり、次の（例えば、一番茶の前、二番茶の前、秋番茶の前、秋番茶の後）収穫時に、古い茶葉が入らないようにすることができる。
【００２０】
そして、張出部８２の端部の内、張出部８２に案内される送風流れの先端の側の端部８２ａの高さ位置を調整する手段１０を備えている。この高さ位置を調整する手段１０は、例えば、固定部材１０ａを介して張出部８２を茶葉摘採機Ｍの本体側部材Ｍ１に固定させるようにしている（図６及び図７参照）。
また、図８又は図９に示すように、高さ位置を調整する手段１０（手段１０は、例えば、インシロック、バンド等）により、送風流れの速度を調整することができ、「ガイド体８の下方に位置する茶樹の小さい葉の状態」に対応することができ、その際、ガイド体８の下方に位置する茶樹の小さい葉の状態を透明部材で形成された張出部８２を介して確認しながら調整を図ることができる。
【００２１】
なお、上述のガイド体８は、取り付けやすいように２分割にしたが、本願発明にあっては、これに限らず、２分割したガイド体８の張出部８２を更に、８２ａ、８２ｂと分割しても良い。
また、上述の茶葉摘採機Ｍは、乗用茶葉摘採機であるが、本願発明にあっては、これに限らず、茶葉摘採機は、乗用茶葉摘採機、一人用茶葉摘採機、二人用茶葉摘採機、軌道式茶葉摘採機（レール用茶葉摘採機）にも同様に適用することができる。
更に、上述した茶葉摘採機Ｍは、「刈りならし」に効果がある旨説明したが、通常の茶摘、例えば、約６ｃｍ程度の短い新芽を摘む場合にも有効である。
【符号の説明】
【００２２】
Ｍ      茶葉摘採機
４      送風手段
４１    送風機
４２    ダクト
４３    複数の分岐部
７      刈刃体
７ａ    刃先
８      ガイド体
８１ａ  挿入穴
８１    挿入壁
８２    張出部
【図１】
2011125300.tif 000003
【図２】
2011125300.tif 000004
【図３】
2011125300.tif 000005
【図４】
2011125300.tif 000006
【図５】
2011125300.tif 000007
【図６】
2011125300.tif 000008
【図７】
2011125300.tif 000009
【図８】
2011125300.tif 000010
【図９】
2011125300.tif 000011
【図１０】
2011125300.tif 000012
【図１１】
2011125300.tif 000013
【手続補正書】
【提出日】平成22年3月11日(2010.3.11)
【手続補正１】
【補正対象書類名】明細書
【補正対象項目名】０００６
【補正方法】変更
【補正の内容】
【０００６】
請求項１記載の茶葉摘採機は、茶樹畝を跨いで茶葉を摘採する刈刃体と、この刈刃体により摘採された前記茶葉を吹き飛ばす送風手段とを備えた茶葉摘採機であって、前記送風手段は、送風機と、この送風機からの送風を案内するダクトとを有し、前記ダクトは、中途より複数に分岐すると共に、分岐した先端は大気に開放した複数の分岐部であり、前記複数の分岐部の先端は、前記刈刃体の上方に向かうと共に、前記茶葉摘採機の進行方向に対して、前記刈刃体の刃先より前に位置し、前記複数の分岐部の先端は、背面視、略弧状に配列され、前記複数の分岐部の先端にガイド体が装着され、前記ガイド体は、前記複数の分岐部に挿入できる挿入穴を有した挿入壁と、この挿入壁に対して略直交する方向に設けられると共に、前記刈刃体の刃先の先端を超える位置まで張り出して、前記複数の分岐部の先端から送風される風の流れを前記刈刃体に向かうように案内する張出部とを備えているものである。
【手続補正２】
【補正対象書類名】明細書
【補正対象項目名】００１０
【補正方法】変更
【補正の内容】
【００１０】
また、請求項５記載の茶葉の刈り取り方法は、茶樹畝を跨いで茶葉を摘採する刈刃体と、この刈刃体により摘採された前記茶葉を吹き飛ばす送風手段とを備えた茶葉摘採機であって、前記送風手段は、送風機と、この送風機からの送風を案内するダクトとを有し、前記ダクトは、中途より複数に分岐すると共に、分岐した先端は大気に開放した複数の分岐部であり、前記複数の分岐部の先端は、前記刈刃体の上方に向かうと共に、前記茶葉摘採機の進行方向に対して、前記刈刃体の刃先より前に位置し、前記複数の分岐部の先端は、背面視、略弧状に配列され、前記複数の分岐部の先端にガイド体が装着され、前記ガイド体は、前記複数の分岐部に挿入できる挿入穴を有した挿入壁と、この挿入壁に対して略直交する方向に設けられると共に、前記刈刃体の刃先の先端を超える位置まで張り出して、前記複数の分岐部の先端から送風される風の流れを前記刈刃体に向かうように案内する張出部とを備え、前記複数の分岐部の先端からの送風は、前記ガイド体の下方からの風を取り入れ、前記ガイド体の下方に位置する茶樹の小さい葉の立ち上がりを保ちつつ、立ち上がった前記小さい葉を前記刈刃体により刈り取るものである。
【手続補正３】
【補正対象書類名】特許請求の範囲
【補正対象項目名】全文
【補正方法】変更
【補正の内容】
【特許請求の範囲】
【請求項１】
茶樹畝を跨いで茶葉を摘採する刈刃体と、この刈刃体により摘採された前記茶葉を吹き飛ばす送風手段とを備えた茶葉摘採機であって、
前記送風手段は、送風機と、この送風機からの送風を案内するダクトとを有し、
前記ダクトは、中途より複数に分岐すると共に、分岐した先端は大気に開放した複数の分岐部であり、
前記複数の分岐部の先端は、前記刈刃体の上方に向かうと共に、前記茶葉摘採機の進行方向に対して、前記刈刃体の刃先より前に位置し、
前記複数の分岐部の先端は、背面視、略弧状に配列され、
前記複数の分岐部の先端にガイド体が装着され、
前記ガイド体は、前記複数の分岐部に挿入できる挿入穴を有した挿入壁と、この挿入壁に対して略直交する方向に設けられると共に、前記刈刃体の刃先の先端を超える位置まで張り出して、前記複数の分岐部の先端から送風される風の流れを前記刈刃体に向かうように案内する張出部とを備えている
ことを特徴とする茶葉摘採機。
【請求項２】
張出部の端部の内、前記張出部に案内される送風流れの先端の側の端部の高さ位置を調整する手段を備えている
ことを特徴とする請求項１記載の茶葉摘採機。
【請求項３】
張出部は、透明部材で形成され、前記張出部の端部の内、前記張出部に案内される送風流れの先端の側の端部の高さ位置を調整する手段を備えている
ことを特徴とする請求項１記載の茶葉摘採機。
【請求項４】
茶葉摘採機は、乗用茶葉摘採機、一人用茶葉摘採機、二人用茶葉摘採機、軌道式茶葉摘採機の内の何れか一つである
ことを特徴とする請求項１〜３の何れか一記載の茶葉摘採機。
【請求項５】
茶樹畝を跨いで茶葉を摘採する刈刃体と、この刈刃体により摘採された前記茶葉を吹き飛ばす送風手段とを備えた茶葉摘採機であって、
前記送風手段は、送風機と、この送風機からの送風を案内するダクトとを有し、
前記ダクトは、中途より複数に分岐すると共に、分岐した先端は大気に開放した複数の分岐部であり、
前記複数の分岐部の先端は、前記刈刃体の上方に向かうと共に、前記茶葉摘採機の進行方向に対して、前記刈刃体の刃先より前に位置し、
前記複数の分岐部の先端は、背面視、略弧状に配列され、
前記複数の分岐部の先端にガイド体が装着され、
前記ガイド体は、前記複数の分岐部に挿入できる挿入穴を有した挿入壁と、この挿入壁に対して略直交する方向に設けられると共に、前記刈刃体の刃先の先端を超える位置まで張り出して、前記複数の分岐部の先端から送風される風の流れを前記刈刃体に向かうように案内する張出部とを備え、
前記複数の分岐部の先端からの送風は、前記ガイド体の下方からの風を取り入れ、前記ガイド体の下方に位置する茶樹の小さい葉の立ち上がりを保ちつつ、立ち上がった前記小さい葉を前記刈刃体により刈り取る
ことを特徴とする茶葉の刈り取り方法。